(57)【要約】      （修正有）【課題】被処理ガスの脱臭、清浄化を行う光触媒装置であって、筐体内の構造をシンプルにすることができ、メンテナンスが容易でコンパクトな光触媒装置を提供する。【解決手段】光触媒装置１において、被処理ガス６を通す筺体２に、光源４からの光を透過する光透過窓５を設け、光触媒フィルタ３を筺体２の内部に、ＬＥＤを用いた光源４を筐体２の外部に配置して、光源４からの光を筐体２に設けられた光透過窓５を通して光触媒フィルタに照射することからなる構成とする。【選択図】図１
0003223983.tif 000002
【実用新案登録請求の範囲】
【請求項１】
被処理ガスを通す筺体と、光触媒フィルタと、光源となるＬＥＤからなる光触媒装置であって、
筐体に光透過部材を備えた窓を設け、
筺体の内部に光触媒フィルタを配置し、
筺体の外側に光源を配置し、
筺体に設けられた光透過窓を通して光源からの光を光触媒フィルタに照射することを特徴とする、
光触媒装置。
【請求項２】
筐体内における光触媒フィルタを被処理ガス気流に対して斜めに配置し、上下両面から光照射することを特徴とする請求項１記載の光触媒装置。
【考案の詳細な説明】
【技術分野】
【０００１】
本考案は、光触媒を利用して空気中の臭気成分や有機ガス分子等を分解することにより脱臭・清浄化を行う光触媒装置に関する。
【背景技術】
【０００２】
従来、居住空間や作業空間での空気中の臭気成分や有機ガス分子等を分解し、脱臭・清浄化するために，光触媒を利用した装置が用いられている。このような光触媒装置は，酸化チタンを担持した光触媒フィルタと，光触媒フィルタに紫外線を照射するための光源とからなり、光触媒フィルタに光源からの紫外線を照射して光触媒を活性化しつつ，被処理ガスを通過させ、これにより被処理ガス中の臭気成分や有機ガス分子等を分解して脱臭・清浄化を行う。
【０００３】
従来の光触媒装置における光源として、蛍光灯と同様の棒状の紫外線ランプが用いられているが、発光に指向性がないので紫外線を効率よく光触媒フィルタに照射するために、特許文献１に見られるように、紫外線ランプを光触媒フィルタで挟み込むようにした状態で筐体内に配置されている。そのため筐体内の構造が複雑となり、装置が大きくなる傾向にあった。
【０００４】
さらに、光源として用いられている蛍光灯型の紫外線ランプには寿命があるため定期的に交換する必要があり、また、筐体内の電気設備の保守・点検作業も必須なので、光触媒装置の筐体にはその作業のための設備が必要であった。特許文献２のように蛍光灯型の紫外線ランプに代えて、より寿命の長いＬＥＤが採用されることもあったが、それでも筐体には保守・点検作業のための設備は必要であった。
【０００５】
また、光触媒フィルタは、使用に伴い有害成分が光触媒の表面に堆積し、触媒としての機能が低下するが、水洗浄により機能を回復させることができることから、装置内に洗浄機構が設置されることがある。その際には、筐体内にある電気設備に厳重な防水手段を必要とするが、紫外線ランプの形状から十分な防水性が実現できないという問題があった。
【先行技術文献】
【特許文献】
【０００６】
【特許文献１】特開２００１−２４６２２８号公報
【特許文献２】特開２０１２−１５２４５２号公報
【考案の概要】
【考案が解決しようとする課題】
【０００７】
本考案は、上記のような従来の問題点を解決し、筐体内の構造がシンプルでメンテナンスが容易である、コンパクトな光触媒装置を提供する。
【課題を解決するための手段】
【０００８】
本考案の光触媒装置は、被処理ガスを通す筺体に光透過部材を備えた窓を設け、光触媒フィルタを筺体の内部に、ＬＥＤを用いた光源を筐体の外部に配置して、光源からの光を筐体に設けられた光透過窓を通して光触媒フィルタに照射する。これにより、従来の問題点を解決することができ、筐体内の構造がシンプルでメンテナンスが容易な光触媒装置を提供することができる。
【０００９】
本考案の光触媒装置は、以下の技術を基礎とする。
【００１０】
（１）被処理ガスを通す筺体と、光触媒フィルタと、光源となるＬＥＤからなる光触媒装置であって、筐体に光透過部材を備えた窓を設け、筺体の内部に光触媒フィルタを配置し、筺体の外側に光源を配置し、筺体に設けられた光透過窓を通して光源からの光を光触媒フィルタに照射する光触媒装置。
（２）筐体内における光触媒フィルタを被処理ガス気流に対して斜めに配置し、上下両面から光照射する（１）の光触媒装置。
【考案の効果】
【００１１】
本考案に係る光触媒装置は、光源を筐体の外部に設けているので、筐体内の構造をシンプルにすることができ、装置全体をコンパクトにすることができる。また、光源であるＬＥＤは従来の紫外線ランプより寿命が長いので、光源を含む電気設備の交換、修理はほとんど必要としない。トラブルがあった場合でも、光源を含む電気設備は筐体の外部にあるので、被処理ガスの流通を止めることなく交換・修理作業が可能である。また、日頃の保守・点検作業も容易である。
さらに、光源として指向性のある効率のよいＬＥＤを使用することにより、紫外線ランプを用いた場合よりランニングコストが低減できるといった利点もある。
【図面の簡単な説明】
【００１２】
【図１】図１は、本考案に係る光触媒装置を示す縦断面図である。
【図２】図２は、従来の紫外線ランプを用いた光触媒装置を示す横断面図である。
【考案を実施するための形態】
【００１３】
本考案の実施の形態について図１を用いて説明する。
本考案の光触媒装置１は、被処理ガス６を通す筺体２と、筺体内部に配置された光触媒フィルタ３と、筐体外部に配置されたＬＥＤを用いた光源４からなり、筺体２には光源４からの光を透過する光透過窓５が設けられている。
この光触媒装置１において、光源４からの光は光透過窓５を通して光触媒フィルタ３に照射され、これにより光触媒が活性化され、フィルタを通過する被処理ガス６を脱臭・清浄化する。
【００１４】
光触媒フィルタは、光触媒フィルタの水洗浄を考慮すれば、三次元網目構造を有するセラミックス多孔体に光触媒を担持させたものの使用が好ましい。
【００１５】
光源としては、紫外線ランプと同様に300〜400nmの紫外線を照射するＬＥＤが用いられる。具体的には、光触媒フィルタの長さに合わせた長さの基板に複数のＬＥＤチップを載置し、光触媒フィルタの全長にわたり十分に紫外線が照射されるようにする。
ＬＥＤの光照射は指向性があるので、全周に光照射する紫外線ランプに比べ効率よく光触媒フィルタを照射することができる。
【００１６】
筺体に設けられる光透過窓としては通常のガラスが使用できる。石英ガラス及びアクリル等の光透過性の優れた透明材料がより好ましい。
【００１７】
筐体内における光触媒フィルタの配置は、図１に示すように、筐体内に光触媒フィルタを被処理ガス気流に対して斜めに配置し、上下両面から光照射するのが、ガス流の抵抗、紫外線の照射の効率の点でバランスがよいといえる。また、斜めに配置することで、筐体の断面積を小さくし装置をコンパクトにすることができる。なお、フィルタ面を被処理ガス気流と対向するように配置し、斜めに上下から光照射することも可能である。
【実施例】
【００１８】
本考案の実施例を具体例に基づいて説明するが、本考案はこの実施例に限定されるものではない。
【００１９】
本考案に係る光触媒装置として図１に示される構造のものを用いて実施例とし、比較例として図２に示される従来の紫外線ランプ型光触媒装置を用いて実験を行った。被処理ガスとしてアセトアルデヒドを微量混入した空気を用いた。表１に、実施例、比較例の光触媒装置の諸元、被処理ガスの風量、アルデヒド分解能力をまとめたものを示す。
なお、実施例の光触媒装置における光透過窓として厚さ４mmのガラス板を使用した。
【００２０】
【表１】
0003223983.tif 000003
【００２１】
表から見てとれるように、本考案の光触媒装置は、紫外線ランプを用いた従来の光触媒装置と比べて、コンパクトであり、装置の体積当たりの分解量はもちろん、フィルタ体積当たり及び消費電力当たりのいずれにおいてもアセトアルデヒドの分解量が優れている。したがって、本考案の光触媒装置を採用することにより、同じ処理能力の従来の光触媒装置と比べ、装置を小さくすることができ、設置に要する体積を大幅に減らすことができる。
【産業上の利用可能性】
【００２２】
本考案に係る光触媒装置は、従来の光触媒装置と比べてコンパクトであっても、被処理ガス中の臭気成分や有機ガス分子等を効率よく分解して脱臭・清浄化することができ、また、筐体内の構造をシンプルにでき、メンテナンスが容易であり、さらに、ランニングコストを低減できるという極めて実用的価値が高いものである。
【符号の説明】
【００２３】
１  光触媒装置
２  筺体
３  光触媒
４  光源
５  光透過窓
６  被処理ガス
【図１】
0003223983.tif 000004
【図２】
0003223983.tif 000005